(57)【要約】本発明はＩＰＴＶサービスをＩＰＴＶシステムの加入者に供給するためのＩＰＴＶシステムに関する。ＩＰＴＶシステムは、加入者に関連付けられた第１のクライアント装置を介してＩＰＴＶサービスを加入者に供給するためのアプリケーションサーバ及び第１のクライアント装置を備える。アプリケーションサーバが第１のクライアント装置に通信ネットワーク（ＣＮ）を介して結合される。ＩＰＴＶシステムがさらに、加入者の現実の位置を特定するように適合された位置特定部（ＬＡ）、及び加入者の位置に基づいてＩＰＴＶサービスを加入者に供給するための代替手段を決定するように適合されたサービス供給決定部を備える。
2010514292.tif 000002
【特許請求の範囲】
【請求項１】
ＩＰＴＶサービスをＩＰＴＶシステムの加入者に供給するためのＩＰＴＶシステムであって、該ＩＰＴＶシステムが、前記加入者に関連付けられた第１のクライアント装置（ＳＴＢ）を介してＩＰＴＶサービスを前記加入者に供給するためのアプリケーションサーバ（ＡＳ）を備え、前記アプリケーションサーバ（ＡＳ）が前記第１のクライアント装置（ＳＴＢ）に通信ネットワーク（ＣＮ）を介して結合され、前記ＩＰＴＶシステムがさらに、
（ａ）前記加入者の現実の位置を特定するように適合された位置特定部（ＬＡ）、及び
（ｂ）前記加入者の位置に基づいて、前記ＩＰＴＶサービスを前記加入者に供給するための代替手段を決定するように適合されたサービス供給決定部（ＳＰＤＰ）
を備えたことを特徴とするＩＰＴＶシステム。
【請求項２】
請求項１のＩＰＴＶシステムにおいて、前記加入者が前記第１のクライアント装置（ＳＴＢ）のところに存在しない場合に、前記代替手段が、前記加入者に関連付けられた移動体装置となることを特徴とするＩＰＴＶシステム。
【請求項３】
請求項１のＩＰＴＶシステムにおいて、前記加入者が前記第１のクライアント装置（ＳＴＢ）のところに存在しない場合に、前記代替手段が前記第１のクライアント装置（ＳＴＢ）への遅延した供給であることを特徴とするＩＰＴＶシステム。
【請求項４】
ＩＰＴＶサービスをＩＰＴＶシステムの加入者に供給するためのアプリケーションサーバ（ＡＳ）であって、前記ＩＰＴＶシステムが、前記加入者に関連付けられた第１のクライアント装置（ＳＴＢ）を介してＩＰＴＶサービスを前記加入者に供給するためのアプリケーションサーバ（ＡＳ）及び前記第１のクライアント装置（ＳＴＢ）を備え、前記アプリケーションサーバ（ＡＳ）が前記第１のクライアント装置（ＳＴＢ）に通信ネットワーク（ＣＮ）を介して結合され、前記アプリケーションサーバが、前記ＩＰＴＶサービスを前記第１のクライアント装置に供給するように適合されたサービス供給部（ＳＰＰ）を備え、前記アプリケーションサーバ（ＡＳ）がさらに、
（ａ）前記加入者の位置を特定するように適合されたロケーションエージェントから前記加入者の現在位置を検索するように適合された加入者位置検索部（ＳＬＲＰ）、及び
（ｂ）前記加入者の位置に基づいて前記ＩＰＴＶサービスを前記加入者に供給するための代替手段を決定するように適合されたサービス供給決定部（ＳＰＤＰ）を備え、
前記サービス供給部（ＳＰＰ）がさらに、前記ＩＰＴＶサービスを供給するための前記代替手段を介して前記ＩＰＴＶサービスを供給するように適合されたことを特徴とするアプリケーションサーバ（ＡＳ）。
【請求項５】
請求項４のアプリケーションサーバ（ＡＳ）において、前記加入者が前記第１のクライアント装置（ＳＴＢ）のところに存在しない場合に、前記代替手段が、前記加入者に関連付けられた移動体装置となることを特徴とするアプリケーションサーバ（ＡＳ）。
【請求項６】
請求項４のアプリケーションサーバ（ＡＳ）において、前記加入者が前記第１のクライアント装置（ＳＴＢ）のところに存在しない場合に、前記代替手段が前記第１のクライアント装置（ＳＴＢ）への遅延した供給であることを特徴とするアプリケーションサーバ（ＡＳ）。
【請求項７】
ＩＰＴＶサービスをＩＰＴＶシステムの加入者に供給するＩＰＴＶシステムにおいて使用するロケーションエージェント（ＬＡ）であって、前記ＩＰＴＶシステムが、前記加入者に関連付けられた第１のクライアント装置（ＳＴＢ）を介してＩＰＴＶサービスを前記加入者に供給するためのアプリケーションサーバ（ＡＳ）及び前記第１のクライアント装置（ＳＴＢ）を備え、前記アプリケーションサーバ（ＡＳ）が前記第１のクライアント装置（ＳＴＢ）に通信ネットワーク（ＣＮ）を介して結合され、前記ロケーションエージェント（ＬＡ）が、前記加入者の現実の位置を特定するように適合された位置特定部（ＬＤＰ）を備えたロケーションエージェント（ＬＡ）。
【請求項８】
請求項７のロケーションエージェント（ＬＡ）において、前記加入者に関連付けられた移動体端末（ＭＯＢ）の位置に基づいて前記位置が特定されることを特徴とするロケーションエージェント（ＬＡ）。
【請求項９】
請求項７のロケーションエージェント（ＬＡ）において、ＩＰマルチメディアサブシステムのホーム・サブスクライバ・サーバにリクエストした存在情報に基づいて前記位置が特定されることを特徴とするロケーションエージェント（ＬＡ）。
【請求項１０】
請求項７のロケーションエージェント（ＬＡ）において、前記位置がプロファイル登録に基づいて特定されることを特徴とするロケーションエージェント（ＬＡ）。
【請求項１１】
請求項７のロケーションエージェント（ＬＡ）において、前記位置がユーザ登録に基づいて特定されることを特徴とするロケーションエージェント（ＬＡ）。
【請求項１２】
請求項７のロケーションエージェント（ＬＡ）において、前記位置が使用統計に基づいて特定されることを特徴とするロケーションエージェント（ＬＡ）。
【発明の詳細な説明】
【技術分野】
【０００１】
本発明は請求項１に記載されるようなＩＰＴＶサービスをＩＰＴＶシステムの加入者に供給するためのＩＰＴＶシステム、請求項４に記載されるような関連のアプリケーションサーバに関する。
【背景技術】
【０００２】
標準的なＩＰＴＶネットワークはアプリケーションサーバ、メディアサービスのセット、他の選択的なサーバ（例えば、ゲームサーバ、説明の便宜上省略する）及び「クライアント装置」又は「セットトップボックス」ともいわれるＩＰＴＶクライアント装置からなる。
【０００３】
そのようなＩＰＴＶシステムにおいて、ＩＰＴＶクライアント装置は通常、ＩＰＴＶヘッドエンドから、例えば、ビデオオンデマンド、ブロードキャストＴＶ、ｅメール、インターネット、ゲーム等多数のサービスオファーを受ける。これらのオファーはユーザがクライアントにアクセスするときに提示される。
【０００４】
既存のＩＰＴＶシステムの主な問題は、アプリケーションサーバといわれるヘッドエンドがユーザの存在を知らないままにＩＰＴＶサービスオファー及びサービスを供給することであり、つまりはＩＰＴＶサービスオファーが加入者の存在にかかわらず行われて相当量のＩＰＴＶサービスが加入者の不在のためにアクセスされなくなることである。
【０００５】
本発明の課題は上記の周知のタイプのＩＰＴＶシステム及び関連のアプリケーションサーバを提供することであるが、ここでは、ＩＰＴＶサービスが高い利用可能性を有するとともに加入者への方向付けがより効率的となるように加入者へのＩＰＴＶサービスの供給が行われる。
【発明の概要】
【課題を解決するための手段】
【０００６】
発明によると、この課題は請求項１記載のシステム、請求項４記載のアプリケーションサーバ及び請求項５記載の関連のロケーションエージェントによって達成される。
【０００７】
実際に、この課題は、ＩＰＴＶシステムが加入者の現実の位置を突き止めるように適合された位置特定部、及び加入者の位置に基づいてＩＰＴＶサービスを加入者に供給するための代替手段を決定することができるサービス供給決定部を備えることによって達成される。このように、加入者の位置を特定することによって、加入者に対して現在利用可能なＩＰＴＶサービスが直ちにクライアント装置に配信されることができるか否かを判断することが可能となる。加入者が加入者装置のところに不在であるという事実のために、現在利用可能なＩＰＴＶサービスがクライアント装置に配信されない場合には、ＩＰＴＶサービスは、サービスの利用可能な時に加入者に到達するために、例えば、加入者の移動体装置又はさらなる他の加入者装置等の代替手段を介して配信されることができる。ＩＰＴＶサービスは課金、映画若しくはゲームのようなオファー、又は例えば契約チャネルのためのオファーパッケージを含むことができる。
【０００８】
これは、個人用に設定された広告が、サービスを実際に使用しているユーザに合わせられる場合又はユーザ位置に合わせられる場合に改善できる点でさらに有利である。
【０００９】
さらなる特徴的な構成が請求項２及び請求項５に記載される。
加入者が第１のクライアント装置のところにいない場合に、代替手段は利用可能なサービスを提供するために加入者に関連付けられた移動体装置となる。このように、アプリケーションサーバは、第１のクライアント装置の位置のところに加入者が不在の場合に、利用可能なサービスを加入者の移動体加入者端末を介して加入者に提供する。
【００１０】
他のさらなる特徴的構成が請求項３及び請求項６に記載される。
代替手段とは、加入者が第１のクライアント装置のところに現在いない場合に第１のクライアント装置に遅延した供給をすることである。このように、アプリケーションサーバは、第１のクライアント装置の位置のところに加入者が不在の場合に、加入者が第１のクライアント装置のところに現実に存在する時までサービスの供給を遅延させることによって利用可能なサービスを提供する。第１のクライアント装置のところに加入者が到着したときに、アプリケーションサーバはその到着を検出し、続いて、加入者がサービスにアクセスすることが可能となったクライアント装置にそのサービスを供給する。
【００１１】
さらなる特徴的構成が請求項８に記載される。
位置は加入者に関連する移動体端末の位置に基づいて特定されることができる。
【００１２】
そして、さらなる特徴的構成が請求項９に記載される。
存在情報をホーム・サブスクライバ・サーバＨＨＳにリクエストすることによって加入者の位置がＩＰマルチメディアサブシステムＩＭＳから特定される。
【００１３】
そして、さらなる特徴的構成が請求項１０に記載される。
サービスプロファイル登録又は登録解除（サイン・イン／サイン・オフ）に基づいて位置を特定することができる。例えば、自宅でのＩＰＴＶサービスは、子供、大人、家族のような幾つかのユーザプロファイル登録を持つこともできる。子供のプロファイル登録が使用される場合、サービス個人用設定の大人の部分は省略することができる。
【００１４】
そして、さらなる特徴的構成が請求項１１に記載される。ユーザ登録又は登録解除（サイン・イン／サイン・オフ）に基づいて位置を特定することができる。例えば、自宅でのＩＰＴＶサービスは父親、母親、及び子供といった幾つかのユーザに関連付けられることができる。父親の登録が使用される場合、サービス個人用設定の母親及び子供の部分を省略することができる。
【００１５】
他のさらなる特徴的構成が請求項１２に記載される。
サービスに所定時間アクセスしないことから加入者の在又は不在を二者択一的に判断することができる。
【００１６】
なお、特許請求の範囲でも使用される用語「備える」とは、以降に挙げる手段に限定されるように解釈されるべきではないことを注記しておく。従って、「手段Ａ及びＢを備えた装置」という表現の権利範囲は、部材Ａ及びＢのみからなる装置と限定されるべきではない。これは、本発明に関しては、装置と密接に関連する部材がＡ及びＢであることを意味するものである。
【００１７】
同様に、特許請求の範囲でも使用される用語「結合される」とは、直接的な接続のみに限定して解釈されるべきではないことを注記しておく。従って、「装置Ｂに結合された装置Ａ」という表現の権利範囲は、装置Ａの出力が直接に装置Ｂの入力に接続される、及び／又はその逆の装置又はシステムに限定されるべきではない。これは、Ａの出力とＢの入力の間に経路があること及び／又はその逆を意味し、それは他の装置又は手段を含む経路であってもよい。
【００１８】
添付図面との関連で実施例についての以降の記載を参照することによって、発明の上記及び他の課題及び構成がより明らかなものとなるとともに、発明自体が最もよく理解されることになる。
【図面の簡単な説明】
【００１９】
【図１】図１はＩＰＴＶサービスをＩＰＴＶシステムの加入者に供給するためのＩＰＴＶシステムの機能的内容を示すものである。
【発明を実施するための形態】
【００２０】
以降の段落において、図１の記載を参照して、ＩＰＴＶサービスをＩＰＴＶシステムの加入者に供給するためのＩＰＴＶシステムの実施例が記載される。第２の段落では、言及される構成要素間の全ての接続が規定される。
【００２１】
次に、図１に示すように、記載のＩＰＴＶシステムの関連の全機能的手段は全ての相互接続の記載によって続けて記載される。後続の段落では、ＩＰＴＶサービスをＩＰＴＶシステムの加入者に供給するためのＩＰＴＶシステムの実際の実施を説明する。
【００２２】
ＩＰＴＶサービスをＩＰＴＶシステムの加入者に供給するためのＩＰＴＶシステムは、加入者に関連する第１のクライアント装置ＳＴＢを介して加入者にＩＰＴＶサービスを供給することができるアプリケーションサーバＡＳを備える。ＩＰＴＶヘッドエンドとも言われるアプリケーションサーバは、ビデオオンデマンド、ブロードキャストＴＶ、加入者ＴＶ、ｅメール、インターネット、ゲーム等のような異なる種類のＩＰＴＶサービスを加入者に供給するサーバである。このアプリケーションサーバはこれらのＩＰＴＶサービスを、結合されたメディアサーバ、ゲームサーバ、及び他のサーバ（説明の便宜上、図１には不図示である）から取得する。ここで、アプリケーションサーバＡＳがＩＰＴＶ又は他のサービスを「供給する」又は「取得する」というときは、それはアプリケーションサーバＡＳが物理的にそれらを配信することを義務付けるものではない。例えば、アプリケーションサーバＡＳはローカルメディアサーバから利用可能なメディアオンデマンド目録のリストを供給し、第１のクライアント装置ＳＴＢがサービス選択後にメディアサーバから物理的なオンデマンドメディア配信を受信するように再誘導することができる。同じことがゲームオンデマンド及び他のサービスにも当てはまる。
【００２３】
ＩＰＴＶシステムはさらに、アプリケーションサーバＡＳによって供給されるＩＰＴＶサービスを受信するための第１のクライアント装置を含む。第１のクライアント装置ＳＴＢはセットトップボックス又はパーソナルコンピュータを用いて実現され、ユーザアカウントに関連し、それゆえ加入者に関連する。セットトップボックスの場合、ブロードキャストＴＶ、ビデオオンデマンド、インターネット等のＩＰＴＶサービスを視覚化するために、ＴＶ又はＬＣＤスクリーンがセットトップボックスに結合される。
【００２４】
さらに、通常は複数の加入者及び対応のクライアント装置があるが、説明の便宜上、図１には１つのクライアント装置及び関連の加入者のみが示されていることを注記しておく。
【００２５】
クライアント装置ＳＴＢの他に、本発明では加入者に関連付けられたＧＳＭ電話機又はＵＭＴＳ装置のような移動体クライアント装置ＭＯＢが追加的に存在する。この装置は所定の種類のＩＰＴＶサービスを受信することができる。移動体装置ＭＯＢを接続する移動体ネットワークはさらに、移動体装置ＭＯＢの現在位置を特定することが可能となっている。
【００２６】
さらに、本発明のＩＰＴＶシステムにおいては、当該加入者の第１のクライアント装置を介してＩＰＴＶサービスを加入者に供給することが可能か否か、及び可能でない場合にはどの代替手段がＩＰＴＶサービスを供給するために利用可能かを判断するために、移動体装置ＭＯＢの位置を特定することができるロケーションエージェントＬＡが存在する。
【００２７】
アプリケーションサーバＡＳはインターネットのような通信ネットワークＩＰＮを介して第１のクライアント装置ＳＴＢに結合される。アプリケーションサーバＡＳ及びロケーションエージェントＬＡはインターネットのような通信ネットワークＩＰＮ上のリンクを介して結合され、又はそれらはローカル的に共存し、例えば、ＲＭＩ（Remote Method Invocation）、ＣＯＲＢＡ又は他の相互処理通信技術等のローカルインターフェイスを介して通信する。ロケーションエージェントＬＡは移動体装置に移動体通信ネットワークＭＣＮを介して結合され、それはＧＳＭネットワーク又はＵＭＴＳネットワークのような移動体通信ネットワークであってもよい。
【００２８】
アプリケーションサーバＡＳはまずＩＰＴＶサービスを第１のクライアント装置ＳＴＢに供給することができるサービス供給部ＳＰＰを備える。サービス供給部ＳＰＰはさらに、ＩＰＴＶサービスを供給するための代替手段を介してＩＰＴＶサービスを供給するように適合される。アプリケーションサーバＡＳはさらに、加入者に所有されている移動体電話の位置に基づいて加入者の位置を特定することができるロケーションエージェントＬＡから加入者の現在位置を検索することができる加入者位置検索部ＳＬＲＰを含む。アプリケーションサーバＡＳはさらに、加入者の位置に基づいてＩＰＴＶサービスを加入者に提供するための代替手段及び例えば支払い延滞督促等が供給されるべきサービスのタイプを決定するように適合されたサービス供給決定部ＳＰＤＰを備える。ユーザが休暇中であってＳＴＢを介してアカウント情報にアクセスを有しないものとして検出された場合に、支払い延滞督促が移動体装置に送信され得る。
【００２９】
サービス供給部ＳＰＰはアプリケーションサーバＡＳの出力端Ｏ１に出力で結合されている。加入者位置検索部ＳＬＲＰは、アプリケーションサーバＡＳの入力／出力端Ｉ／Ｏ１に結合され、及びさらにサービス供給決定部ＳＰＤＰに結合された入力／出力端を有する。サービス供給決定部ＳＰＤＰはさらにサービス供給部ＳＰＰに結合される。
【００３０】
第１のクライアント装置ＳＴＢは、アプリケーションサーバＡＳによって供給されるＩＰＴＶサービスを受信するように適合されたサービス受信部ＳＲＰを有する。
【００３１】
第１のクライアント装置ＳＴＢはサービス受信部ＳＲＰの入力端ともなる入力端Ｉ１を有する。
【００３２】
ロケーションエージェントＬＡは当該加入者の現実の位置を特定するように適合された位置特定部ＬＤＰを備える。この位置特定部ＬＤＰは、移動体通信ネットワークＭＣＮにおいて利用可能なものであるとする情報に基づいて移動体装置ＭＯＢの位置を特定することができる。他の実施例では、存在情報をホーム・サブスクライバ・サーバにリクエストすることによってＩＭＳサブシステムから位置を特定することができる。しかし、本発明は移動体ＩＭＳ又はユーザ位置若しくは存在の特定のための何らかの他の外部サブシステムを義務付けるものではない。例えば、位置情報はＩＰＴＶサブシステム内部に存在することができる。位置特定部ＬＤＰは、上述のようなプロファイル又はユーザ登録（サイン・イン／サイン・オフ）に従ってユーザ位置についての特定を行うことができる。他の実施例では、位置特定部はアカウント使用からユーザ位置（ユーザ不在）についての決定を行うことができる。この場合、ユーザはクライアント装置ＳＴＢからサービスに所定期間アクセスしていなかった場合、それは不在（休暇中）であると推定されて代替手段を介して方向付けられる。
【００３３】
ロケーションエージェントＬＡはさらに、位置特定部ＬＤＰによって特定された加入者の位置をアプリケーションサーバＡＳに提供することができる加入者位置供給部ＳＬＰＰを備える。
【００３４】
加入者に関連付けられた移動体装置ＭＯＢはアプリケーションサーバからＩＰＴＶサービスを受信するように適合されたサービス受信部ＳＲＰ１を備える。
【００３５】
１つの特定の具体化及び本発明の実施を説明するために、現在自宅において彼のＩＰＴＶシステムの前にいる加入者が、課金、ペイパービュー映画、ペイパービュー・スポーツイベントのようなオファー、彼の仲間とのインスタントメッセージ（ＩＭ）、ビデオ会議、ゲーム、その他といった彼の契約したＩＰＴＶサービスにアクセスするものとする。何らかのメディアサーバやゲームサーバによって提供されるＩＰＴＶサービスは、（説明の便宜上不図示の）加入者の明示の要求又は契約に応じたアプリケーションサーバＡＳのリクエストにてアプリケーションサーバに供給される。
【００３６】
この書類の文脈において、サービスがアプリケーションサーバに供給されると言うとき、用語「供給される」とは限定的でない一般の意味を持つ。それは、ＡＳサーバがサービス利用可能性について知っていて、所定の条件に基づいてサービスオファーにサービスを含めることができることを意味する。しかし、ユーザがサービスオファーからサービスを選択した場合にアプリケーションサーバＡＳがサービスを物理的に配信することを義務付けるものではない。アプリケーションサーバＡＳは何らかのメカニズムを用いてユーザに実際のサービスプロバイダから選択されたサービスを取得するように（例えば、メディアオンデマンドサーバからメディアを取得するように）再誘導することができる。
【００３７】
その後サービス供給部ＳＰＰはこれらの契約されたＩＰＴＶサービスを第１のクライアント装置に供給する。その後、第１のクライアント装置ＳＴＢのサービス受信部これらのＩＰＴＶサービスを受信する。続いて、第１のクライアント装置ＳＴＢはこれらのＩＰＴＶサービスを、例えば、ＴＶスクリーン、コンピュータスクリーン、その他（不図示）の端末での表示のために準備する。
【００３８】
ここで、加入者が自宅から外出するものとする。アプリケーションサーバにおいて加入者の外出後に利用可能となった全ての契約済みＩＰＴＶサービスは第１のクライアント装置に供給するために準備される。これは、加入者が再び自宅に戻る夜に加入者が視聴するために注文した映画（ＶＯＤと言われるビデオオンデマンド）についても有効である。従来技術の状況では、全てのＩＰＴＶサービスは利用可能となった直後に第１のクライアント装置で利用可能となっていた。しかし、加入者は自宅におらず、従ってこれらの供給されるＩＰＴＶサービスをアクセスすることができないので、この状況は望ましくない。
【００３９】
しかし、本発明では、ロケーションエージェントＬＡは位置特定部ＬＤＰによって、加入者の移動体装置ＭＯＢを接続する移動体通信ネットワークＭＣＮから位置情報を検索することによって加入者の位置を追跡する。その後、位置特定部ＬＤＰによって特定された位置情報は加入者位置表示部ＳＬＰＰによってアプリケーションサーバＡＳに提示される。今度はアプリケーションサーバＡＳが、加入者位置検索部ＳＬＲＰによって、移動体装置ＭＯＢの位置に基づいて加入者の現在位置情報を検索する。ロケーションエージェントＬＡから検索された位置情報に基づいて、サービス供給決定部ＳＰＤＰは加入者の位置に従ってＩＰＴＶサービスを加入者に供給するための代替手段を決定する。加入者が自宅から離れているので、ＩＰＴＶビデオオンデマンドサービス供給は加入者が自宅に戻るまで遅延させられるように決定される。あるＩＰＴＶサービスオファーは加入者の移動体電話又は加入者が彼の職場にいるときに加入者が現在ログオンしているパーソナルコンピュータに転送されるように決定される。
【００４０】
移動体装置のサービス検索部ＳＲＰ１又は加入者がログオンしているパーソナルコンピュータのサービス検索部は、サービスを検索し、それぞれの移動体装置又はパーソナルコンピュータのスクリーン上で加入者にＩＰＴＶサービスを表示する。
【００４１】
注文されたビデオオンデマンドは加入者が帰宅した時に配信されるように決定される。サービス供給決定部ＳＰＤＰがロケーションエージェントから加入者が自宅にいるとの情報を取得すると直ちに、サービス供給部ＳＰＰは注文されたビデオオンデマンドのアイテムを第１のクライアント装置ＳＴＢのサービス検索部ＳＲＰに配信する。
【００４２】
アプリケーションサーバＡＳはオファーを行い、又はバックオフィスサービスを配信する前に、ＩＰＴＶアカウントに関連する移動体装置についての位置情報をリクエストする。
【００４３】
代替の実施例では、位置情報がロケーションエージェントに直接リクエストされる代わりに永久記憶部にリクエストされてそれに関連付けられ、永久記憶部にはロケーションエージェントＬＡが加入者の移動体装置ＭＯＢの位置情報をキャッシュする。このキャッシュ化は総計及び平均化された位置判断を可能とするためになされ、ロケーションエージェントは全ての移動体装置についての履歴的な位置情報を永久記憶部にキャッシュする。
【００４４】
一実施例では、ＩＰＴＶバックオフィスは移動体の瞬間の位置をロケーションエージェントにリクエストする。移動体装置がクライアント装置の位置に存在しない場合、ＩＰＴＶバックオフィスは移動体装置にロケーションエージェントを介してオファーを送信する。
【００４５】
代替の実施例では、ＩＰＴＶバックオフィスは移動体の総計された位置をロケーションエージェントにリクエストする。総計上の移動体装置がクライアント装置の位置に所定時間不在であった場合、課金情報、サービスオファー等のＩＰＴＶサービスは移動体装置に送信される。
【００４６】
ユーザアカウント情報、及びユーザアカウントと「周辺」メディアサーバ間の関連は永久記憶部に記憶される。メディアサーバ及びアプリケーションサーバは永久記憶部にアクセスを有する。
【００４７】
加入者の位置を特定するための他の実施例は、位置特定部ＬＤＰがアカウント使用に基づいてユーザの不在についての判断を下すことができるものである。この場合、ユーザはクライアント装置ＳＴＢからのサービスに所定期間アクセスしていなかった場合、それは不在（休暇中）として推定され、不払いについての督促について移動体装置のような代替手段を介して方向付けされ、良好な信用履歴を保つことができる。
【００４８】
更に他の実施例では、存在情報をホーム・サブスクライバ・サーバＨＳＳにリクエストすることによって加入者の位置がＩＰマルチメディアサブシステムＩＭＳから特定される。
【００４９】
更なる実施例では、加入者の位置の特定がサービスプロファイル登録又は登録解除（サイン・イン／サイン・オフ）に基づいてなされる。例えば、自宅でのＩＰＴＶサービスは子供、大人、家族のような幾つかのユーザプロファイル登録を有していてもよい。子供のプロファイル登録が使用される場合、サービス個人用設定の大人の部分を省略することができる。
【００５０】
代替的にユーザ登録又は登録解除（サイン・イン／サイン・オフ）に基づいて位置が特定できる。例えば、自宅でのＩＰＴＶサービスは父親、母親、及び子供といった幾つかのユーザに関連付けられることができる。父親の登録が使用される場合、サービス個人用設定の母親及び子供の部分を省略することができる。
【００５１】
最後の注記点として、本発明の実施例は機能的なブロックの観点で上述した。前述のこれらのブロックの機能の記載から、電子装置を設計する当業者であれば、これらのブロックの実施例が周知の電子部材を用いてどのように作製され得るかを想到することができるはずである。従って、機能ブロックの内容の詳細なアーキテクチャは与えられていない。
【００５２】
本発明の原理が特定の装置との関連で記載されてきたが、明らかに、本記載は例示のためのみになされたものであり、添付の特許請求の範囲で規定される本発明の範囲を限定するものではないことが理解される。
【図１】
2010514292.tif 000003
【国際調査報告】
2010514292.tif 000004
2010514292.tif 000005
2010514292.tif 000006